(57)【要約】【課題】排水管内において目詰まりを引き起こす異物を容易に除去することができる排水管洗浄用エアゾール製品を提供する。【解決手段】本発明の排水管洗浄用エアゾール製品は、水および界面活性剤を含有する水性原液８０〜９９．５質量％と、液化ガスおよび／または圧縮ガスを含有する噴射剤０．５〜２０質量％とからなる洗浄用エアゾール組成物が、バルブおよびアクチュエーターを備えたエアゾール容器内に充填されてなり、前記アクチュエーターから前記洗浄用エアゾール組成物が噴射されたときの噴射力が１．０ｇｆ以上であり、泡密度が０．３５ｇ／ｃｍ3以下の泡沫を形成するものであることを特徴とする。【選択図】図１
2020196836.tif 000002
【特許請求の範囲】
【請求項１】
水および界面活性剤を含有する水性原液８０〜９９．５質量％と、液化ガスおよび／または圧縮ガスを含有する噴射剤０．５〜２０質量％とからなる洗浄用エアゾール組成物が、バルブおよびアクチュエーターを備えたエアゾール容器内に充填されてなり、
前記アクチュエーターから前記洗浄用エアゾール組成物が噴射されたときの噴射力が１．０ｇｆ以上であり、
泡密度が０．３５ｇ／ｃｍ3以下の泡沫を形成するものであることを特徴とする排水管洗浄用エアゾール製品。
【請求項２】
排水管内において目詰まりを引き起こす異物を除去するために用いられることを特徴とする請求項１に記載の排水管洗浄用エアゾール製品。
【請求項３】
前記アクチュエーターは、排水口を塞ぐよう当該排水口の周辺部に密着した状態で排水管内に前記洗浄用エアゾール組成物を噴射し得るものであることを特徴とする請求項１または請求項２に記載の排水管洗浄用エアゾール製品。
【請求項４】
前記水性原液には、洗浄剤が含有されていることを特徴とする請求項１乃至請求項３のいずれかに記載の排水管洗浄用エアゾール製品。
【発明の詳細な説明】
【技術分野】
【０００１】
本発明は、排水管内において目詰まりを引き起こす異物を除去するために好適な排水管洗浄用エアゾール製品に関する。
【背景技術】
【０００２】
例えば洗面台等の排水管の洗浄においては、界面活性剤を含有する洗浄剤が用いられている。このような洗浄剤としては、界面活性剤、無機アルカリ剤およびグリコール類を含有する原液と、液化ガスや圧縮ガスを含有する噴射剤とを有するエアゾール型泡沫洗浄剤が提案されている（特許文献１等参照。）。このエアゾール型泡沫洗浄剤によれば、Ｓ型のトラップを備えた排水管であっても、油性の汚れ、ヌメリを除去することが可能とされている。
しかしながら、上記のエアゾール型泡沫洗浄剤においては、排水管のＳ型のトラップにおいて毛髪などの目詰まりを引き起こす異物を除去することが困難である。
【０００３】
また、排水管内において目詰まりを引き起こす異物を除去する手段としては、上端部にキャップを嵌合したシリンダと、シリンダ内に往復移動自在に挿入したピストンと、先端部がピストンに連結され、基端部がキャップから突出するピストンロッドと、ピストンロッドの基端部に取り付けたハンドルと、シリンダの下端部に着脱自在に取り付けられ、先端部が排水口の周囲に密着する蛇腹構造の筒体とからなる手動式清掃用ポンプが知られている（特許文献２参照。）。
しかしながら、このような手動式清掃用ポンプにおいては、目詰まりの程度によっては、手動により相当に大きな力でピストンを動かす必要があり、また、異物を除去するまでに相当に長い時間を要する、という問題がある。
【先行技術文献】
【特許文献】
【０００４】
【特許文献１】特開２００８−２６０７８８号公報
【特許文献２】実用新案登録第３１４３９０２号公報
【発明の概要】
【発明が解決しようとする課題】
【０００５】
本発明は、以上のような事情に基づいてなされたものであって、その目的は、排水管内において目詰まりを引き起こす異物を容易に除去することができる排水管洗浄用エアゾール製品を提供することにある。
【課題を解決するための手段】
【０００６】
本発明の排水管洗浄用エアゾール製品は、水および界面活性剤を含有する水性原液８０〜９９．５質量％と、液化ガスおよび／または圧縮ガスを含有する噴射剤０．５〜２０質量％とからなる洗浄用エアゾール組成物が、バルブおよびアクチュエーターを備えたエアゾール容器内に充填されてなり、
前記アクチュエーターから前記洗浄用エアゾール組成物が噴射されたときの噴射力が１．０ｇｆ以上であり、
泡密度が０．３５ｇ／ｃｍ3以下の泡沫を形成するものであることを特徴とする。
【０００７】
本発明の排水管洗浄用エアゾール製品においては、排水管内において目詰まりを引き起こす異物を除去するために用いられることが好ましい。
【０００８】
また、本発明の排水管洗浄用エアゾール製品においては、前記アクチュエーターは、排水口を塞ぐよう当該排水口の周辺部に密着した状態で排水管内に前記洗浄用エアゾール組成物を噴射し得るものであることが好ましい。
【０００９】
また、本発明の排水管洗浄用エアゾール製品においては、前記水性原液には、洗浄剤が含有されていることが好ましい。
【発明の効果】
【００１０】
本発明の排水管洗浄用エアゾール製品によれば、アクチュエーターから噴射されたときの噴射力が１．０ｇｆ以上であり、泡密度が０．３５ｇ／ｃｍ3以下の泡沫を形成するものであるため、排水管内において目詰まりを引き起こす異物を容易に除去することができる。
【図面の簡単な説明】
【００１１】
【図１】本発明の排水管洗浄用エアゾール製品に適用することができるバルブの一例における構成を、エアゾール容器と共に示す説明用断面図である。
【図２】本発明の排水管洗浄用エアゾール製品に適用することができるアクチュエーターの一例を示す外観図である。
【図３】実施例の評価で使用したＳ型トラップを有する排水管を示す説明図である。
【発明を実施するための形態】
【００１２】
以下、本発明の排水管洗浄用エアゾール製品について説明する。
本発明の排水管洗浄用エアゾール製品は、水および界面活性剤を含有する水性原液と、噴射剤とからなる洗浄用エアゾール組成物が、バルブおよびアクチュエーターを備えたエアゾール容器内に充填されてなるものであって、アクチュエーターから洗浄用エアゾール組成物が噴射されたときに、泡沫を形成するものである。本発明の排水管洗浄用エアゾール製品は、排水管内において目詰まりを引き起こす異物を除去するために好適に用いることができる。
【００１３】
［水性原液］
水性原液における界面活性剤としては、陰イオン性界面活性剤、非イオン性界面活性剤、陽イオン性界面活性剤、両性界面活性剤を用いることができる。
陰イオン性界面活性剤の具体例としては、ラウレス硫酸ナトリウム等のポリオキシエチレンアルキルエーテル硫酸塩、ラウリル硫酸ナトリウム等のアルキル硫酸塩、ポリオキシエチレンアルキルエーテル酢酸塩、ステアリン酸トリエタノールアミンやパルミチン酸カリウム等の脂肪酸塩などが挙げられる。
非イオン性界面活性剤の具体例としては、デシルグルコシド等のアルキルポリグルコシド、ラウリン酸ポリグリセリル−１０等のポリグリセリン脂肪酸エステル、セテス−２０等のポリオキシエチレンアルキルエーテル、コカミドＤＥＡ等のアルキルアルカノールアミドなどが挙げられる。
陽イオン性界面活性剤の具体例としては、塩化ラウリルトリメチルアンモニウム等の塩化アルキルトリメチルアンモニウム、塩化ジアルキル（Ｃ１２−Ｃ１８）ジメチルアンモニウム等の塩化ジアルキルジメチルアンモニウムなどが挙げられる。
両性界面活性剤の具体例としては、ラウリルジメチルアミンオキサイド等のアルキルジメチルアミンオキサイド、ヤシ油脂肪酸アミドプロピルベタイン等のアルキルアミドプロピルベタインなどが挙げられる。
これらの界面活性剤は、単独でまたは２種以上組み合わせて用いることができる。
【００１４】
水性原液中における界面活性剤の含有割合は、０．０５〜２５質量％であることが好ましく、より好ましくは０．１〜２０質量％、更に好ましくは０．１〜１５質量％である。界面活性剤の含有割合が過小である場合には、十分な泡密度が得られず、目的とする効果が得られない恐れがある。一方、界面活性剤の含有割合が過大である場合には、泡切れが悪くなったり、排水管の種類によっては悪影響を及ぼす恐れがある。
【００１５】
水性原液には、水および界面活性剤が必須成分として含有されているが、必要に応じて、これら以外の他の成分が含有されていてもよい。
このような他の成分としては、洗浄剤を用いることが好ましい。洗浄剤の具体例としては、ココイルグリシンカリウム、ココイルグルタミン酸トリエタノールアミン、重曹、クエン酸などが挙げられる。
【００１６】
洗浄剤以外のその他の成分としては、エタノール、イソプロピルアルコール、グリセリン等のレオロジー調整剤、ヒドロキシエチルセルロース等の増粘剤、安息香酸ナトリウム等のｐＨ調整剤、トリエタノールアミン、水酸化カリウム等の中和剤、モノエタノールアミン等のアルカリ剤、ＥＤＴＡ−４Ｎａ、ＥＤＴＡ−２Ｎａ等のキレート剤、イソプロピルメチルフェノール等の除菌剤、洗浄補助溶剤、消臭剤、香料、防錆剤、防腐剤、コーティング剤、染料、虫よけ剤、殺虫剤、酸化剤、還元剤などを用いることができる。
これらの他の成分は、単独でまたは２種以上を組み合わせて用いることができる。
【００１７】
水性原液は、その２０℃における粘度が５０００ｍＰａ・ｓ以下であることが好ましい。
【００１８】
［噴射剤］
噴射剤としては、液化ガスおよび／または圧縮ガスが用いられる。
液化ガスの具体例としては、液化石油ガス（ＬＰＧ）、ジメチルエーテル、１，１，１，２−テトラフルオロエタン、１，１−ジフロオロエタン等のハイドロフルオロカーボン、トランス−１，３，３，３−テトラフルオロプロペン（ＨＦＯ１２３４ｚｅ）等のハイドロフルオロオレフィンなどが挙げられる。
圧縮ガスの具体例としては、窒素ガス、亜酸化窒素ガス、炭酸ガス、圧縮空気またはこれらの混合ガスなどが挙げられる。
【００１９】
［洗浄用エアゾール組成物］
洗浄用エアゾール組成物における水性原液および噴射剤の含有割合は、水性原液が８０〜９９．５質量％、好ましくは８５〜９９質量％であり、噴射剤が０．５〜２０質量％、好ましくは１〜１５質量％である。噴射剤の含有割合が過小である場合には、十分な噴射力が得られないため、排水管内において目詰まりを引き起こす異物を確実に除去することが困難となる。一方、噴射剤の含有割合が過大である場合には、噴射剤が引火性を有するものであるときには、引火や爆発が発生するおそれがある。また、エアゾール容器内の圧力が高くなりすぎて、高温下で保存されたときにエアゾール容器が破裂するおそれがある。
【００２０】
［排水管洗浄用エアゾール製品］
本発明の排水管洗浄用エアゾール製品は、上記の洗浄用エアゾール組成物がバルブおよびアクチュエーターを備えたエアゾール容器内に充填されて構成されている。
エアゾール容器としては、特に限定されず、通常、エアゾール製品に用いられているものを用いることができる。
【００２１】
バルブとしては、特に限定されず、種々の構造のものを用いることができる。
図１は、本発明の排水管洗浄用エアゾール製品に適用することができるバルブの一例における構成を、エアゾール容器と共に示す説明用断面図である。この例のエアゾール容器１０においては、容器本体１１の上部開口に、中央に開口を有するマウンテンカップ１２がアウターガスケット１３を介して気密に設けられている。
図示の例のバルブ２０は、マウンテンカップ１２、アウターガスケット１３、ハウジング２１、スプリング２６、ステムガスケット２７、ステム３０で構成され、ステム３０を押下することにより内容物を吐出することができる、エアゾール製品に一般的に用いられているバルブである。
【００２２】
ハウジング２１においては、底壁部および周壁部にハウジング孔２２，２３が形成されている。また、ハウジング２１の底壁部には、ディップチューブ（図示省略）が接続される円筒状のチューブ接続部２４が下方に伸びるよう設けられ、当該チューブ接続部２４の筒孔が、ハウジング２１の底壁部に形成されたハウジング孔２２に連通している。
ステム３０においては、筒孔によってステム通路３１が形成されている。また、ステム３０には、外周面に開口するステム孔３２がステム３０の径方向に伸びてステム通路３１に連通するよう形成されている。
尚、ディップチューブおよび、チューブ接続部２４の有無は、製品仕様に合わせて適宜選択することができる。
さらに、ハウジング孔は底壁部および周壁部の両方、或いはどちらか一方にだけ形成されていてもよい。また、ハウジング孔は１つ、或いは２つ以上形成されてもよい。
【００２３】
ステム３０のステム孔３２の面積が０．０７ｍｍ2以上のもの、特に０．１９ｍｍ2以上のものを用いることが好ましい。ステム孔３２の面積が過小である場合には、十分な噴射力が得られないことがある。また、ステム３０には、複数のステム孔３２が形成されていてもよい。
バルブ２０におけるハウジング２１のハウジング孔２２，２３の面積は、合計で０．７ｍｍ2以上であることが好ましい。
【００２４】
アクチュエーターとしては、特に限定されるものではないが、排水口を塞ぐよう当該排水口の周辺部に密着した状態で排水管内に前記洗浄用エアゾール組成物を噴射し得るものを用いることが好ましい。
図２は、本発明の排水管洗浄用エアゾール製品に適用することができるアクチュエーターの一例を示す外観図である。このアクチュエーター１は、有底円筒状の押しボタン２を有する。押しボタン２の底壁の中央位置には、洗浄用エアゾール組成物を噴射する噴射口３が形成されている。この噴射口３は、バルブにおけるステムのステム孔に気密に接続されている。押しボタン２の底壁における噴射口３の周囲には、円形の凹面部４が形成されている。この凹面部４の周囲には、円環状の被押圧部５が形成されており、この被押圧部５が押圧されることにより、噴射口３から洗浄用エアゾール組成物が噴射される。
【００２５】
このような構成のアクチュエーター１を用いることにより、当該アクチュエーター１から洗浄用エアゾール組成物を噴射したときに、洗浄用エアゾール組成物が排水口から漏れ出すことが防止され、また、排水管内に存在する異物に対して必要な噴射力が確実に作用されるので、排水管内において目詰まりを引き起こす異物を一層確実に除去することができる。
【００２６】
噴射口３の面積は、０．１９ｍｍ2以上であることが好ましく、より好ましくは０．５ｍｍ2以上である。
被押圧部５は、排水口の周辺部に密着し得る形態とされている。図示の例の被押圧部５は、その表面が平坦面とされ、その外径が排水口の内径より大きいものとされている。
【００２７】
本発明の排水管洗浄用エアゾール製品においては、アクチュエーター１の噴射口３から洗浄用エアゾール組成物が噴射されたときの噴射力が１．０ｇｆ以上、好ましくは３．０ｇｆ以上とされる。本発明において、「噴射力」とは、噴射口から２０ｃｍ離間した位置において測定された値を意味する。
噴射力が過小である場合には、排水管内において目詰まりを引き起こす異物を確実に除去することが困難となる。
【００２８】
以上において、噴射力は、洗浄用エアゾール組成物における噴射剤の含有割合や、バルブ２０におけるステム３０のステム孔３２の面積またはステム孔３２の数を変更することによって調整することができる。例えば洗浄用エアゾール組成物における噴射剤の含有割合が大きいほど、噴射力が大きくなる傾向にあり、ステム孔３２の面積が大きいまたはステム孔３２の数が多いほど噴射力が大きくなる傾向にある。
【００２９】
また、本発明の排水管洗浄用エアゾール製品においては、洗浄用エアゾール組成物が噴射されることによって形成された泡沫の泡密度が、０．３５ｇ／ｃｍ3以下であり、好ましくは０．０１〜０．３ｇ／ｃｍ3である。
泡沫の泡密度が過大である場合には、排水管内において目詰まりを引き起こす異物を確実に除去することが困難となる。
【００３０】
上記の排水管洗浄用エアゾール製品においては、アクチュエーター１における押しボタン２の被押圧部５が、排水口を塞ぐよう当該排水口の周辺部に密着した状態で押圧されることにより、押しボタン２に形成された噴射口３から洗浄用エアゾール組成物が噴射される。洗浄用エアゾール組成物は、噴射されることにより泡沫を形成し、この状態で、排水管内を流通する。泡沫は、排水管内、例えばトラップに存在する目詰まりを引き起こす異物に到達すると異物を押し出す。或いは泡沫が、排水管と異物との間隙に進入し、当該泡沫によって異物が包み込まれることにより異物の押し出しが容易になり、排水管内のトラップから目詰まりを引き起こす異物が除去される。
【００３１】
以上説明したように、本発明の排水管洗浄用エアゾール製品によれば、アクチュエーターから噴射されたときの噴射力が１．０ｇｆ以上であり、泡密度が０．３５ｇ／ｃｍ3以下の泡沫を形成するものであるため、排水管内において目詰まりを引き起こす異物を容易に除去することができる。
【実施例】
【００３２】
以下、本発明の排水管洗浄用エアゾール組成物の実施例について説明するが、本発明はこれらの実施例に限定されるものではない。
【００３３】
［水性原液の調製］
下記表１に示す配合処方に従って、各成分を混合することにより、水性原液１〜水性原液４を調製した。
【００３４】
【表１】
2020196836.tif 000003
【００３５】
〈実施例１〜１３および比較例１〜２〉
下記に示す仕様のステムおよびハウジングを作製した。
（ステム）
ステム１：ステム孔の面積が１．１３ｍｍ2、ステム孔の数が３つのもの
ステム２：ステム孔の面積が０．１９ｍｍ2、ステム孔の数が２つのもの
ステム３：ステム孔の面積が０．１９ｍｍ2、ステム孔の数が１つのもの
（ハウジング）
ハウジンク１：ハウジンク孔の面積が３．１５ｍｍ2以上のもの
ハウジング２：ハウジンク孔の面積が３．１４ｍｍ2のもの
ハウジング３：ハウジンク孔の面積が１．２８ｍｍ2のもの
【００３６】
表２に示す仕様に従って、エアゾール容器内に水性原液（２００ｍＬ）および噴射剤を充填すると共に、当該エアゾール容器にハウジング、ステムおよびアクチュエーターを取り付けることにより、排水管洗浄用エアゾール製品を作製した。
【００３７】
得られた排水管洗浄用エアゾール製品について、アクチュエーターから洗浄用エアゾール組成物が噴射されたときの噴射力および形成された泡沫の泡密度を、以下のようにして測定した。結果を表２に示す。
【００３８】
（噴射力）
排水管洗浄用エアゾール製品におけるアクチュエーターの噴射口から２０ｃｍ離間した位置に、ひずみゲージ式荷重変換器を備えた直径１５ｃｍの円盤状のステンレス板よりなる測定用パネルを配置した。この測定用パネルに向かって排水管洗浄用エアゾール製品から洗浄用エアゾール組成物を３秒間噴射させた。そして、ひずみゲージ式荷重変換器によって測定される、測定パネルに加えられた荷重の最大値を噴射力とした。
【００３９】
（泡密度）
２５℃にて保存された排水管洗浄用エアゾール製品を用い、容積が１００ｃｍ3の容器内に洗浄用エアゾール組成物を噴射することにより、形成された泡沫によって容器内を満たした。容器内の泡沫の質量を測定し、測定された質量の値と泡沫の量の値（１００ｃｍ3）とから、泡沫の泡密度を算出した。
【００４０】
［異物除去試験］
図３に示すように、Ｓ型トラップ４１を有する排水管４０を用意した。この排水管４０は、樹脂よりなり、内径が４０ｍｍで蛇腹状の形態を有するものである。また、Ｓ型トラップ４１の底部４２から排水口４５までの高さｈ１は４５ｃｍ、Ｓ型トラップ４１の底部４２から頂部４３までの高さｈ２は１５ｃｍである。
排水口４５から排水管４０におけるＳ型トラップ４１内に、長さが２５ｃｍの人毛３．６ｇを装填し、その後、排水管４０内に水１０Ｌを供給し、流水によって人毛をＳ型トラップ４１から除去することができないことを確認した。
【００４１】
そして、排水管洗浄用エアゾール製品のアクチュエーターにおける被押圧部を、排水口４５の周辺部に密着させた。この状態で、アクチュエーターに形成された噴射口から洗浄用エアゾール組成物を排水管４０内に噴射させ、人毛が除去されるか否かを調べ、下記の基準により、異物の除去の可否を評価した。以上、結果を表２に示す。
Ａ：洗浄用エアゾール組成物の全量（水性原液２００ｍＬ分）の１／３以下の量を噴射することにより、Ｓ型トラップ４１から人毛が除去された場合
Ｂ：洗浄用エアゾール組成物の全量（水性原液２００ｍＬ分）の１／３超１／２以下の量を噴射することにより、Ｓ型トラップ４１から人毛が除去された場合
Ｃ：洗浄用エアゾール組成物の全量（水性原液２００ｍＬ分）の１／２超２／３以下の量を噴射することにより、Ｓ型トラップ４１から人毛が除去された場合
Ｄ：洗浄用エアゾール組成物の全量（水性原液２００ｍＬ分）を噴射しても、Ｓ型トラップ４１から人毛が除去されなかった場合
【００４２】
【表２】
2020196836.tif 000004
【００４３】
表２の結果から明らかなように、実施例１〜１３に係る排水管洗浄用エアゾール製品によれば、排水管４０におけるＳ型トラップ４１内において目詰まりを引き起こす人毛を容易に除去することができることが確認された。
これに対して、比較例１に係る排水管洗浄用エアゾール製品においては、形成される泡沫の泡密度が大きいため、排水管４０におけるＳ型トラップ４１内において目詰まりを引き起こす人毛を除去することができなかった。また、比較例２に係る排水管洗浄用エアゾール製品においては、噴射力が小さいため、排水管４０におけるＳ型トラップ４１内において目詰まりを引き起こす人毛を除去することができなかった。
【符号の説明】
【００４４】
１  アクチュエーター
２  押しボタン
３  噴射口
４  凹面部
５  被押圧部
１０  エアゾール容器
１１  容器本体
１２  マウンテンカップ
１３  アウターガスケット
２０  バルブ
２１  ハウジング
２２，２３  ハウジング孔
２４  チューブ接続部
２６  スプリング
２７  ステムガスケット
３０  ステム
３１  ステム通路
３２  ステム孔
４０  排水管
４１  Ｓ型トラップ
４２  底部
４３  頂部
４５  排水口
【図１】
2020196836.tif 000005
【図２】
2020196836.tif 000006
【図３】
2020196836.tif 000007